(57)【特許請求の範囲】
【請求項１】
濃化水性漂白剤組成物であって；
（ａ）０．１重量％〜５０重量％の活性過酸素漂白剤、または少なくとも３重量％〜５０重量％（利用可能な塩素として）の活性次亜ハロゲン酸アルカリ金属漂白酸化剤；
（ｂ）０．０１重量％〜１０重量％の、分子量が１０，０００を超えるポリマー性レオロジー改変剤；
（ｃ）０．００１重量％〜１０重量％の以下の式を有するレオロジー安定剤；
【化１】
0003912983.tif 000016
ここで、次亜ハロゲン酸アルカリ金属漂白剤を含有する組成物について、ＸはＯＣＨ3またはＣＨ：ＣＨＣＯＯ-Ｍ+である；そして過酸化漂白剤を含有する組成物について、ＸはＯＣＨ3、またはＨである；そして各々のＡ、ＢおよびＣは、Ｈ、ＯＨ、ＯＣＨ3、ＣＨ3、ＣＨＯ、ＣＨ2ＯＨ、ＣＯＯＣＨ3、ＣＯＯＣ1-4Ｈ3-9、ＯＣ1-4Ｈ3-9、Ｃ1-4Ｈ3-9、ＯＣＯＣＨ3、ＮＨ2、あるいはそれらの混合物である；そして、Ｍは、Ｈ、アルカリ金属またはアンモニウムである；
（ｄ）該組成物にｐＨ２〜１４を提供するのに十分なアルカリ度緩衝剤；および
（ｅ）水としての残り；を含む、濃化水性漂白剤組成物。
【請求項２】
前記活性次亜ハロゲン酸アルカリ金属漂白酸化剤が次亜塩素酸ナトリウムである、請求項１に記載の組成物。
【請求項３】
前記レオロジー安定剤が、アニスアルコールおよびアニスアルデヒドからなる群から選択される、請求項１に記載の組成物。
【請求項４】
前記活性過酸素漂白剤が過酸化水素である、請求項１に記載の組成物。
【請求項５】
前記活性過酸素漂白剤が前記組成物の重量に基いて０．１〜２０重量％で存在する、請求項４に記載の組成物。
【請求項６】
前記レオロジー安定剤が３−メトキシベンズアルデヒドである、請求項１に記載の組成物。
【請求項７】
前記レオロジー安定剤がアニスアルコールである、請求項１に記載の組成物。
【請求項８】
前記レオロジー安定剤がｐ−メトキシベンズアルデヒドである、請求項１に記載の組成物。
【請求項９】
前記ポリマー性レオロジー改変剤が架橋アクリル酸ポリマー濃化剤である、請求項１に記載の組成物。
【請求項１０】
前記ポリマー性レオロジー改変剤が架橋アクリル酸コポリマー濃化剤である、請求項１に記載の組成物。
【請求項１１】
請求項１に記載の組成物であって、ここで、前記ポリマー性レオロジー改変剤が、少なくとも１個の活性化炭素−炭素オレフィン性二重結合および少なくとも１個のカルボキシル基を包含するオレフィン性不飽和カルボン酸または無水物モノマーのホモポリマーおよびコポリマー、アルカリ可溶性アクリル性乳化物、疎水性に改変されたアルカリ可溶性アクリル性乳化物、疎水性に改変された非イオン性多価アルコールポリマーおよびそれらの組み合わせから成る群から選択される、請求項１に記載の組成物。
【請求項１２】
前記ｐＨが７より大きい、請求項１に記載の組成物。
【請求項１３】
前記漂白酸化剤が活性次亜ハロゲン酸アルカリ金属でありそして前記ｐＨが１０より大きい、請求項１に記載の組成物。
【発明の詳細な説明】
【０００１】
（発明の分野）
本発明は、過酸素（ｐｅｒｏｘｙｇｅｎ）漂白剤または次亜ハロゲン酸アルカリ金属（ａｌｋａｌｉ  ｍｅｔａｌ  ｈｙｐｏｈａｌｉｔｅ）漂白剤のいずれか、およびレオロジー安定剤を含有する、濃化水性漂白剤組成物に関し、これは生成物および粘度安定性を改良する。
【０００２】
（発明の背景）
漂白剤組成物は、種々の洗剤、個人的ケア、製剤（ｐｈａｒｍａｃｅｕｔｉｃａｌ）、織物および工業的適用において長く使用されてきた。それらは、それらが運ばれて接触する表面を、漂白しそして洗浄するように作用し、そして消毒活性を提供する。次亜ハロゲン酸アルキル金属漂白剤は、織物および木繊維（ｗｏｏｄ  ｆｉｂｅｒ）の漂白ならびに洗浄のために、家庭用洗浄用製品、ならびに織物および製紙工業において長く使用されてきた。それらはまた、消毒目的のために、洗浄用製品において一般的に使用される。典型的な次亜ハロゲン酸アルカリ金属は、次亜塩素酸ナトリウムである。過酸素漂白剤は、次亜ハロゲン酸塩漂白剤よりもざらざらせず、そして不快なガスまたは臭気を放出しない。このことは、このような漂白剤の使用を、特に個人的ケア、口腔ケア、および薬学的組成物に対してよりずっと用途を広くする。このような漂白剤は、過炭酸ナトリウムまたは過ホウ酸ナトリウムの形態で、粉末または顆粒洗濯用洗剤組成物で一般的に利用され、そして水性媒体中にさらした場合に活性酸素を放出する。
【０００３】
漂白剤組成物は、例えば、組成物の美観を高めるため、使用の容易さを改善するため、他の組成物成分の懸濁を助けるため、そして鉛直表面への適用における組成物の滞留時間を増加するのためのような、広範な様々な理由のために、しばしば、増加した粘度を呈する。
【０００４】
これらの適用におけるポリマー性レオロジー改変剤の使用は、それらが付与する特有のレオロジーにおけるさらなる利益を提供する。これらのポリマーは、ずり減レオロジー挙動（ｓｈｅａｒ  ｔｈｉｎｎｉｇ  ｒｈｅｏｌｏｇｉｃａｌ  ｂｅｈａｖｉｏｒ）を示す傾向がある。つまり、ポリマー性レオロジー改変剤を使用して濃化された組成物は、ずり応力にさらされると、それらの粘度において減少を示し、そしてこれによって、それらの目的物質への、およびその上へのより容易な送達および適用を可能にする。さらに、せん断応力を除去すると、これらの組成物は初期の粘度へ迅速に回復する。この特性は、このような組成物の高い初期または静止（ａｔ  ｒｅｓｔ）粘度にもかかわらず、スプレーまたは引金ノズルパッケージング（ｔｒｉｇｇｅｒ  ｎｏｚｚｌｅ  ｐａｃｋａｇｉｎｇ）で、それらが簡単に使用されることを可能にする。
【０００５】
ポリマー性レオロジー改変剤を含有する組成物は、非水平表面への鉛直付着（ｃｌｉｎｇ）を付与する降伏値を示し得る。鉛直付着物性は、組成物のその目的物質への接触時間を増大し、そして高められた性能を提供する。このことは、高められた漂白および消毒を生じるような漂白剤を含有する組成物において、特に価値がある。レオロジー改変組成物のさらなる利益は、減少した噴霧（ｍｉｓｔｉｎｇ）、減少した漂白剤臭気、および適用時に表面から跳ね返る組成物の量における減少の観測という点で、欧州特許公開（ＥＰ）０６０６７０７（Ｃｈｏｙ）に記載される。これらの特性は、漂白剤を含有する組成物に対する価値を増加することであり、そしてそれは、目的物質に適用される生成物の量を増加させ、そして本組成物を適用する人への本組成物の意図しない潜在的に有害な露出を減少させることによるものである。
【０００６】
レオロジー改変剤を含有する次亜ハロゲン酸アルカリ金属漂白剤は公知である。例えば、米国特許第５，５４９，８４２号（Ｃｈａｎｇ）は、０．５〜１０．０％活性塩素レベルを有する組成物を含有する次亜ハロゲン酸塩漂白剤を濃化するための、第４級アミン酸化物界面活性剤の使用を教示する。また、米国特許第５，２７９，７５５号（Ｃｈｏｙ）は、ハロゲン漂白剤の存在下での炭酸カルシウム研磨粒子を懸濁させるための、酸化アルミニウム濃化剤の使用を教示する。しかしながら、多くの従来のポリマー性レオロジー改変体は、次亜ハロゲン酸塩漂白剤の分解を加速し、そしてこのため、このような組成物における使用について問題である。これらのポリマーの多くは、それら自体が、次亜ハロゲン酸塩漂白剤の存在下で、化学的に不安定である。本組成物の寿命の間安定した粘度を達成することは、非常に困難であることが証明されてきた。安定性を達成するために、種々の技術が利用されてきた。例えば、Ｆｉｎｌｅｙらは、ＥＰ０３７３８６４Ｂ１および米国特許第５，３４８，６８２号において、０．４〜１．２の利用可能な塩素レベルを有する塩素漂白剤組成物を濃化するための、酸化アミン界面活性剤およびポリカルボキシレートポリマーの二重濃化システム（ｄｕａｌ  ｔｈｉｃｋｅｎｉｎｇ  ｓｙｓｔｅｍ）の使用を教示する。米国特許第５，１６９，５５２号（Ｗｉｓｅ）は、０．２〜２．５％の活性次亜塩素酸塩漂白剤および架橋ポリアクリレートポリマーレオロジー改変剤を有する濃化液体洗浄組成物における、置換安息香酸構造体の使用を教示する。米国特許第５，５２９，７１１号および欧州特許公開第０６４９８９８号（Ｂｒｏｄｂｅｃｋら）は、濃化研磨洗浄組成物中の特定のアニオン性共界面活性剤（ｃｏ−ｓｕｒｆａｃｔａｎｔ）の存在下で、粘度および／または相安定性を維持するための、ヒドロトロープとしての安息香酸へのアルカリ金属の添加を開示する。これらの組成物は、０．１〜１０．０％の次亜塩素酸塩漂白剤を有する、二重の界面活性剤および架橋したポリアクリレートポリマー濃化システムを含有する。しかし、提示される例示組成物は、いずれも安息香酸を含有しないということが注目された。Ｂｅｎｄｕｒｅら（ＥＰ０５２３８２６）はまた、架橋ポリアクリレートポリマーおよび０．２〜４．０％の次亜塩素酸塩漂白剤を含有する組成物への、置換安息香酸構造体の添加を議論する。この添加剤の述べられた機能は、直径８．４５ｍｍの排出口（ｏｕｔｌｅｔ  ｏｐｅｎｉｎｇ）を有する容器からの、この組成物の流速を増加することである。
【０００７】
さらに、米国特許第５，１８５，０９６号、同第５，２２５，０９６号および同第５，２２９，０２７号は、０．５〜８．０％の次亜塩素酸塩漂白剤と共に架橋ポリアクリレートポリマーを含有する洗浄用組成物の安定性を改善するための、ヨウ素およびヨウ素酸塩添加剤の使用を開示する。米国特許第５，４２７，７０７号（Ｄｒａｐｉｅｒ）は、架橋ポリアクリレートポリマーおよび０．２〜４．０％の次亜塩素酸化物漂白剤を含有する洗浄用組成物の安定性を改善するための、アジピン酸またはアゼライン酸の使用を開示する。米国特許第５，５０３，７６８号（Ｔｏｋｕｏｋａら）は、ハロゲン漂白剤が不注意で添加される場合、酸性組成物中のハロゲンガスの放出を抑制するための、ハロゲン捕獲剤として芳香族環に隣接する酸素、硫黄、または窒素原子を含有する芳香族化合物の使用を教示する。しかし、Ｔｏｋｕｏｋａは、ハロゲン漂白剤を含有するポリマー性濃化組成物の安定性を改善することについては、ふれていない。さらに、欧州特許公開第０６０６７０７号（Ｃｈｏｙら）は、０．１〜１０．０％次亜塩素酸塩組成物を濃化するための、架橋ポリアクリレートポリマーの使用を教示するが、それ自体では、開示される例示組成物についての安定性データを、全く示さない。
【０００８】
水性過酸素漂白剤組成物は、水性組成物中においての過酸素漂白剤よりも高い不安定性に起因して、次亜ハロゲン酸アルカリ金属漂白剤ほど一般的に使用されていない。より高い不安定性は、特に関連があり、そしてしばしばアルカリ性ｐＨ組成物に対してよく留意される。アルカリ性ｐＨは、一般的に、洗浄、消毒、および髪の染色の適用に好ましい。かなりの努力が、安定な水性過酸素漂白組成物についての検索において、なされてきた。例えば、米国特許第４，０４６，７０５号（Ｙａｇｉら）は、このような組成物中の安定性を改善するために、粉末洗濯用洗剤のための無機過酸素漂白剤への、不飽和５または６員複素環式環化合物であるキレート化合物の混合を教示する。米国特許第４，８３９，１５６号および同第４，７８８，０５２号（Ｎｇら）は、ゲル化剤がポリオキシエチレン−ポリオキシプロピレンブロックコポリマー界面活性剤である、水性ゲル化過酸化水素歯科用組成物を開示する。さらに、Ｎｇは、このような組成物のｐＨを制御して、４．５〜６．０にそれらを制限した。米国特許第４，８３９，１５７号（Ｎｇら）は、ゲル化剤がいぶしたシリカであり、そしてｐＨが３〜６である、水性過酸化水素歯科用組成物を開示する。米国特許第４，６９６，７５７号（Ｂｌａｎｋら）は、ゲル化剤がグリセリンを有するポリオキシエチレン−ポリオキシプロピレンブロックコポリマー界面活性剤であり、ｐＨが６に制限される、水性ゲル化過酸化水素組成物を開示する。
【０００９】
米国特許第４，２３８，１９２号（Ｋａｎｄａｔｈｉｌ）は、家庭用品に有用な、ｐＨ１．８〜５．５を有する過酸化水素組成物を開示するが、しかし、ゲル化剤または濃化された製品の使用については教示しない。米国特許第４，４９７，７２５号（Ｓｍｉｔｈら）は、安定性の改善のために置換アミノ化合物およびリン酸塩キレート剤を使用するが、ゲル化剤を使用しない、水性アルカリ性過酸化処方物を開示する。
【００１０】
米国特許第５，３９３，３０５号（Ｃｏｈｅｎら）は、顕色剤相（ｄｅｖｅｌｏｐｅｒ  ｐｈａｓｅ）がポリマー性濃化剤および過酸化水素を含む２部分の髪の染料システムを開示する。このポリマー性濃化剤は、２〜６の範囲のｐＨを有する顕色剤相に不溶であるコポリマーに限定される。このポリマーは、適用の際のアルカリ性染料相との反応の際、可溶となりそして濃化する。米国特許第５，３７６，１４６号（Ｃａｓｐｅｒｓｏｎら）もまた、２部分の髪染料の適用の顕色剤相において、過酸化水素を濃化するためのポリマー性濃化剤の使用を教示し、ここで、このポリマー性濃化剤が、顕色剤相に不溶でありそして顕色剤相のｐＨが２〜６である、コポリマーに限定される。Ｃａｓｐｅｒｓｏｎは、架橋ポリアクリレートポリマーまたはカルボマー（ｃａｒｂｏｍｅｒ）が顕色剤相中に可溶でありそして安定でないので、それらの使用に反対であると教示する。
【００１１】
濃化システムについて示唆していない、過酸化物システムの他の教示には、米国特許第５，４１９，８４７号（Ｓｈｏｗｅｌｌら）が挙げられ、これは、過酸化水素および漂白剤活性化剤を含み、ｐＨが３．５〜４．５であり、そして高められた安定性が、カルボン酸塩、ポリリン酸塩およびリン酸塩キレート剤の添加によって提供される、水性組成物を教示する。米国特許第５，２６４，１４３号（Ｂｏｕｔｉｑｕｅ）は、水可溶過酸素漂白剤を含有する安定化組成物を開示する。高められた安定性は、ジホスホネート化合物をキレート残留遷移金属へ添加することによって、提供される。このような組成物のｐＨは、８．５より大きい。米国特許第４，９００，４６８号（Ｍｉｔｃｈｅｌｌら）は、過酸化水素、界面活性剤、蛍光増白剤および染料を含む水性組成物を開示する。これらの組成物は、重金属キレート剤およびフリーラジカル捕獲剤の添加で安定化され、好ましいフリーラジカル捕獲剤は、ブチル化ヒドロキシトルエン（ＢＨＴ）およびモノ−ｔｅｒ−ブチルヒドロキノン（ＭＴＢＨＱ）である。このような組成物のｐＨは、最も好ましくは、２〜４である。米国特許第５，１８０，５１４号（Ｆａｒｒら）は、過酸化水素、界面活性剤、蛍光増白剤および染料を含む水性組成物を開示する。これらの組成物は、重金属キレート剤およびフリーラジカル捕獲剤の添加によって、安定化される。好ましいフリーラジカル捕獲剤は、アミンフリーラジカル捕獲剤である。このような組成物のｐＨは、最も好ましくは、２〜４である。
【００１２】
Ｓｏｌｖａｙ  Ｉｎｔｅｒｏｘ（過酸化化合物の供給者（ｓｕｐｐｌｉｅｒ）である）からの文献は、「Ｔｈｉｃｋｅｎｅｄ  Ｈｙｄｒｏｇｅｎ  Ｐｅｒｏｘｉｄｅ」および「Ｈｙｄｒｏｇｅｎ  Ｐｅｒｏｘｉｄｅ  ＣｏｍｐａｔｉｂｌｅＩｎｇｒｅｄｉｅｎｔｓ」という題名であり、架橋ポリアクリレートポリマーと共に過酸化水素を含有する、ゲル化水性化合物を教示するが、この教示は、酸性ｐＨ範囲においてであり、そして安定剤の使用を示唆しない。
【００１３】
上記の議論からわかるように、漂白剤およびレオロジー改変ポリマーを含有するゲル化水性組成物を作製する際に、漂白剤、組成物ｐＨ、および特定のポリマーの種類およびレベルは、全て、安定な組成物を得るために注意深く考慮されるべき因子である。このため、種々の変数にわたる、より大きな処方の順応性および安定性を有する濃化型漂白剤組成物の必要がある。
【００１４】
（発明の要旨）
本発明は、特定のレオロジー安定剤の使用が、改善された濃化水性漂白組成物を提供するという発見に起因する。本発明の組成物は、約０．１重量％〜５０重量％の活性次亜ハロゲン酸アルカリ金属または過酸素漂白剤；約０．０１重量％〜約１０重量％のポリマー性レオロジー改変剤；約０．００１重量％〜約１０重量％の下記の式を有するレオロジー安定剤を含む；
【００１５】
【化２】
0003912983.tif 000002
ここで、次亜ハロゲン酸アルカリ金属漂白剤を含有する組成物について、ＸはＯＣＨ3、ＣＨ：ＣＨＣＯＯ-Ｍ+またはＨであり；そして過酸化物漂白剤を含有する組成物について、Ｘは、ＣＯＯ-Ｍ+、ＯＣＨ3、ＣＨ：ＣＨＣＯＯ-Ｍ+またはＨであり；そして各々のＡ、ＢおよびＣは、Ｈ、ＯＨ、ＣＯＯ-Ｍ+、ＯＣＨ3、ＣＨ3、ＣＨＯ、ＣＨ2ＯＨ、ＣＯＯＣＨ3、ＣＯＯＣ1-4Ｈ3-9、ＯＣ1-4Ｈ3-9、Ｃ1-4Ｈ3-9、ＯＣＯＣＨ3、ＮＨ2、またはそれらの混合である；そして、Ｍは、Ｈ、アルカリ金属またはアンモニウムである；これらの組成物に約２〜約１４のｐＨを提供するのに十分なアルカリ度緩衝剤；そして残余は水である。
【００１６】
本発明は、改善されたレオロジー特性および安定性を有する、濃化漂白剤組成物を提供する。この漂白剤組成物は、家庭用、個人的ケア、薬学的、織物および工業適用を包含する、種々の適用に有用である。
【００１７】
（本発明の詳細な説明）
本発明の組成物は、５個の本質的な成分：漂白剤または漂白剤組成物（これは、次亜ハロゲン酸アルカリ金属漂白剤または過酸素漂白剤であり得る）、ポリマー性レオロジー改変剤、レオロジー安定剤、アルカリ度剤、および水を含む。
【００１８】
（次亜ハロゲン酸アルカリ金属漂白剤成分）
漂白剤の供給源は、種々のハロゲン漂白剤から選択され得る。その例として、漂白剤は、次亜ハロゲン酸のアルカリ金属およびアルカリ土類金属塩、次亜ハロゲン酸塩付加生成物、ハロアミン、ハロイニン（ｈａｌｏｉｎｉｎｅ）、ハロイミド、およびハロアミドから本質的になる群から、好ましくは選択され得る。これらはまた、次亜ハロゲン酸（ｈｙｐｏｈａｌｏｕｓ）の漂白剤種をインサイチュで生成する。次亜臭素酸塩は別の潜在的なハロゲン漂白剤であるが、次亜塩素酸塩、および水溶液中で次亜塩素酸塩を生成する化合物が好ましい。水溶液中で次亜ハロゲン酸塩種を生じるそれらの漂白剤は、アルカリ金属およびアルカリ土類金属の次亜塩素酸塩、次亜塩素酸塩付加生成物、クロラミン、クロリミン、クロラミド、およびクロリミドを包含する。このタイプの化合物の特定の例には、次亜塩素酸ナトリウム、次亜塩素酸カリウム、次亜塩素酸リチウムおよび次亜塩素酸カルシウム、一塩基性次亜塩素酸カルシウム、二塩基性次亜塩素酸マグネシウム、塩素化リン酸三ナトリウム十二水和物（ｃｈｌｏｒｉｎａｔｅｄ  ｔｒｉｓｏｄｉｕｍ  ｐｈｏｓｐｈａｔｅ  ｄｏｄｅｃａｈｙｄｒａｔｅ）、ジクロロイソシアヌル酸カリウム、ジクロロイソシアヌル酸ナトリウム、ジクロロイソシアヌル酸ナトリウム二水和物、トリクロロシアヌル酸、１，３−ジクロロ−５，５−ジメチルヒダントイン、Ｎ−クロロスルファミド、クロラミンＴ、ジクロラミンＴ、クロラミンＢおよびジクロラミンＢが挙げられる。本発明の組成物中の使用のための好ましい漂白剤は、次亜塩素酸ナトリウム、次亜塩素酸カリウム、またはそれらの混合物である。
【００１９】
塩素漂白剤成分は、水溶液中で、次亜塩素酸塩種を生成するものである。次亜塩素酸イオンは、化学的に、式ＯＣｌによって表される。次亜塩素酸イオンは、強力な酸化剤であり、そしてこの種を生産する物質は、強力な漂白剤であると考えられる。次亜塩素酸イオンを含有する水溶液の強度は、利用可能な塩素という点で測定される。これは、酸性化されたヨウ化物溶液からヨウ素を遊離させる溶液の能力によって測定される、この溶液の酸化力である。１つの亜塩素酸イオンは、２原子の塩素（つまり１分子の塩素ガス）の酸化力を有する。
【００２０】
低いｐＨレベルでは、次亜塩素酸塩−生成化合物を溶解することによって生成される水溶液は、活性塩素を、一部は次亜塩素酸部分の形態で、そして一部は次亜塩素酸イオンの形態で含有する。約１０より大きいｐＨレベル（これは次亜塩素酸塩を含有する組成物についてが好ましい）では、本質的に全て（９９％より多く）の活性塩素が、次亜塩素酸イオンの形態で存在すると報告される。
【００２１】
上述の次亜塩素酸塩−生成漂白剤のほとんどが、固体または濃縮形態で入手可能であり、そして本発明の組成物の調製の間、水に溶解される。上述の物質のいくつかは、水溶液として利用可能である。
【００２２】
上述の漂白剤は、本発明の組成物の水性液体成分中に溶解する。漂白剤は、約０．１重量％〜５０重量％の利用可能な塩素、好ましくは０．２〜１５重量％の利用可能な塩素を提供するべきである。
【００２３】
（過酸素漂白剤成分）
漂白剤の供給源は、過酸素漂白剤の群から選択され得、最も好ましくは過酸化水素である。所望の割合の過酸化水素を生成し得る過酸素漂白剤化合物を、水性液体漂白剤中へ混合することもまた可能である。このような化合物は、当該分野では周知であり、そして過酸化アルカリ金属、有機過酸化物漂白剤化合物（例えば過酸化尿素）、および無機過塩（ｐｅｒｓａｌｔ）漂白剤化合物（例えば、過ホウ酸、過カルボン酸、および過リン酸などのアルカリ金属塩など）ならびにそれらの混合物を包含する。
【００２４】
過酸化水素は、広く種々の供給源（例えば、Ｓｏｌｖａｙ−Ｉｎｔｅｒｏｘ、Ｄｅｇｕｓｓａ、Ｔｈｅ  ＦＭＣ  Ｃｏｒｐｏｒａｔｉｏｎ、およびＥ．Ｉ．ＤｕＰｏｎｔ）から市販されている。それは、通常、濃縮水溶液（例えば３５〜７０％活性）として購入され、そして脱イオン水で所望の強度まで希釈される。さらに、濃縮過酸化物溶液は、種々のキレート剤（最も一般的にはリン酸塩）を有する製品によって、しばしば安定化される。
【００２５】
過酸素漂白剤化合物は、組成物の総量に基づいて０．１〜５０重量％、好ましくは０．１〜２０重量％の活性漂白剤を提供する量で、利用される。それは、約２〜約１４までのｐＨで使用される。
【００２６】
（ポリマー性レオロジー改変剤）
レオロジー改変剤ポリマーは、コーティング組成物の重量に基づいて約０．０１〜約１０重量％の量で使用される。約０．０１〜約５重量％の範囲が好ましく、約０．０５〜約２．５重量％の範囲がさらに好ましい。レオロジー改変剤ポリマーは、非会合性濃化剤または安定剤（例えば、少なくとも１個の活性型炭素炭素オレフィン性二重結合および少なくとも１個のカルボキシル基を含む、オレフィン的に不飽和のカルボン酸もしくは無水物モノマーの、ホモポリマーまたはコポリマー、あるいはアルカリ可溶性アクリル性乳濁液）、あるいは会合性濃化剤または安定剤（疎水的に改変されたアルカリ可溶アクリル性乳濁液または、疎水的に改変された非イオン性多価アルコールポリマー、つまり、疎水的に改変されたウレタンポリマー）、あるいはそれらの組み合わせであり得る。コポリマーは、好ましくは、ポリカルボン酸モノマーおよび疎水性モノマーのものである。好ましいカルボン酸は、アクリル酸である。ホモポリマーおよびコポリマーは、好ましくは、架橋される。
【００２７】
ポリアクリル酸のホモポリマーは、例えば、米国特許第２，７９８，０５３号において記載される。有用であるホモポリマーの例は、Ｃａｒｂｏｐｏｌ（登録商標）９３４、９４０、９４１、Ｕｌｔｒｅｚ１０、ＥＴＤ２０５０、および９７４Ｐポリマーが挙げられ、そしてこれらはＢ．Ｆ．Ｇｏｏｄｒｉｃｈ  Ｃｏｍｐａｎｙから入手可能である。このようなポリマーは、不飽和であり重合可能なカルボン酸モノマー（例えば、アクリル酸、メタクリル酸、マレイン酸、イタコン酸、マレイン酸無水物など）のホモポリマーである。
【００２８】
疎水的に改変されたポリアクリル酸ポリマーは、例えば、米国特許第３，９１５，９２１号、同第４，４２１，９０２号、同第４，５０９，９４９号、同第４，９２３，９４０号、同第４，９９６，２７４号、同第５，００４，５９８号、および同第５，３４９，０３０号に記載される。これらのポリマーは、大きい好水（ｗａｔｅｒ  ｌｏｖｅｉｎｇ）親水性部分（ポリアクリル酸部分）およびより小さい好油（ｏｉｌ  ｌｏｖｅｉｎｇ）疎水性部分（これは、炭素長鎖アクリル酸エステルから誘導され得る）を有する。それぞれの高級アルキルアクリル酸エステルは、アクリル酸デシル（ｄｅｃｙｃｌ）、アクリル酸ラウリル、アクリル酸ステアリル、アクリル酸ベヘニル（ｂｅｈｅｎｙｌ）、およびアクリル酸メリシル（ｍｅｌｉｓｓｙｌ）、ならびに対応するメタクリル酸エステルである。１個より多くのカルボン酸モノマー、および１個より多くのアクリル酸エステルまたはビニルエステルまたはエーテルまたはスチレン（ｓｔｙｒｅｎｉｃ）は、モノマー充填中で使用され得ることが理解される。これらのポリマーは、水に分散され、そして塩基で中和されて、水性組成物を濃化するか、ゲルを形成するかあるいは送達可能に（ｄｅｌｉｖｅｒａｂｌｅ）乳化または懸濁する。有用なポリマーは、Ｃａｒｂｏｐｏｌ（登録商標）１３４２および１３８２、ならびにＰｅｍｕｌｅｎ（登録商標）ＴＲ−１、ＴＲ−２、１６２１および１６２２として、販売されており、全てＢＦＧｏｏｄｒｉｃｈより入手可能である。カルボキシル含有ポリマーは、少なくとも１個の活性ビニル基およびカルボキシル基を含有するモノマーより調製され、アクリル酸エステル、アクリルアミド、アルキル化アクリルアミド、オレフィン、ビニルエステル、ビニルエーテル、またはスチレンを有する重合可能のカルボキシル酸モノマーの、コポリマーを含む。カルボキシル含有ポリマーは、約５００より大〜数十億程度またはそれより大きい、通常は約１０，０００より大〜９００，０００またはそれより大きい分子量を有する。
【００２９】
疎水的に改変されたモノマー、および少なくとも１個の親水性部分および少なくとも１個の疎水部分または結合ブロックまたはランダムコーム構造またはそれらの混合物を有する、立体安定剤ポリマー性表面活性剤の、インターポリマーもまた有用である。使用され得る立体（ｓｔｅｒｉｃ）安定剤の例は、Ｈｙｐｅｒｍｅｒ（登録商標）（これはポリ（１２−ヒドロキシステアリン酸）ポリマーであり、Ｉｍｐｅｒｉａｌ  Ｃｈｅｍｉｃａｌ  Ｉｎｄｕｓｔｒｉｅｓ  Ｉｎｃ．から入手可能である）、およびＰｅｃｏｓｉｌ（登録商標）（これはメチル−３−ポリエトキシプロピルシロキサン−Ω−ホスフェートポリマーであり、Ｐｈｏｅｎｉｘ  Ｃｈｅｍｉｃａｌ，Ｓｏｍｅｒｖｉｌｌｅ，Ｎｅｗ  Ｊｅｒｓｅｙから入手可能である）である。これらは、米国特許第４，２０３，８７７号、および同第５，３４９，０３０号によって教示され、そしてこれらの開示を本明細書中で参考として援用する。
【００３０】
このポリマーを、そしてカルボン酸モノマーおよびコモノマーの合わせた重量に基づいて、約０．１〜４重量％、好ましくは０．２〜１重量％の量で、適切な架橋剤を、モノマー充填に含むことによって、当該分野で公知の様式で架橋し得る。この架橋剤は、重合可能なビニル基、および少なくとも１個の他の重合可能な基を含有する、重合可能なモノマーから選択される。カルボキシル含有モノマーの重合は、通常、触媒型、フリーラジカル重合プロセスで、通常、当該分野で公知である不活性希釈剤中で、行われる。
【００３１】
利用され得る他のポリカルボン酸ポリマー組成物は、例えば、アクリル酸塩、（メタ）アクリル酸、マレイン酸無水物、およびそれらの種々の組み合わせの、架橋コポリマーを含む。市販のポリマーは、Ｒｈｅｏｘ  Ｉｎｃ．，Ｈｉｇｈｓｔｏｗｎ．Ｎ．Ｊ．（例えば、Ｒｈｅｏｌａｔｅ（登録商標）５０００ポリマー）から、３Ｖ  Ｓｉｇｍａ．Ｂｅｒｇａｍｏ，Ｉｔａｌｙ（例えば、Ｓｔａｂｅｌｙｎ（登録商標）３０ポリマー（これは架橋アクリル酸／ビニルエステルおよびコポリマーである）、またはＰｏｌｙｇｅｌ（登録商標）およびＳｙｎｔｈａｌｅｎ（登録商標）ポリマー（これは架橋アクリル酸ポリマーおよびコポリマーである））から、ＢＦＧｏｏｄｒｉｃｈ（例えば、Ｃａｒｂｏｐｏｌ  ＥＰ−１濃化剤（これはアクリル酸乳濁液濃化剤である））から、またはＲｏｈｍ  ａｎｄ  Ｈａａｓ（例えば、Ａｃｒｙｓｏｌ（登録商標）ＩＣＳ−１およびＡｃｕｌｙｎ（登録商標）２２濃化剤（これらは疎水的に改変されたアルカリ可溶性アクリル酸ポリマー乳濁液である）、およびＡｃｕｌｙｎ（登録商標）４４濃化剤（これは疎水的に改変された非イオン性多価アルコールである））から入手可能である。Ｃａｒｂｏｐｏｌ（登録商標）およびＰｅｍｕｌｅｎ（登録商標）ポリマーが、一般的に好ましい。利用される特定のポリマーの選択は、組成物の所望のレオロジー、および他の組成物の成分の特性に依存する。
【００３２】
（レオロジー安定剤）
本発明に有用なレオロジー安定剤は、以下の式を有する：
【００３３】
【化３】
0003912983.tif 000003
ここで、次亜ハロゲン酸アルカリ金属漂白剤を含有する組成物について、ＸはＯＣＨ3、ＣＨ：ＣＨＣＯＯ-Ｍ+またはＨであり；そして過酸化漂白剤を含有する組成物について、Ｘは、ＣＯＯ-Ｍ+、ＯＣＨ3、ＣＨ：ＣＨＣＯＯ-Ｍ+またはＨであり；そして各々のＡ、ＢおよびＣは、Ｈ、ＯＨ、ＣＯＯ-Ｍ+、ＯＣＨ3、ＣＨ3、ＣＨＯ、ＣＨ2ＯＨ、ＣＯＯＣＨ3、ＣＯＯＣ1-4Ｈ3-9、ＯＣ1-4Ｈ3-9、Ｃ1-4Ｈ3-9、ＯＣＯＣＨ3、ＮＨ2、またはそれらの混合物であり；そして、Ｍは、Ｈ、アルカリ金属またはアンモニウムである。
【００３４】
このレオロジー安定剤は、総混合物の約０．００１〜１０重量％、好ましくは０．００５〜５重量％の間の量で使用される。
【００３５】
以下はレオロジー安定剤の例である。
【００３６】
【表１】
0003912983.tif 000004
好ましいレオロジー安定剤は、アニスアルデヒド（またはメトキシベンズアルデヒド）、アニスアルコール、およびアニス酸、特にそのメタ形態である。
【００３７】
上記のレオロジー安定剤は、化学種の酸性形態（すなわちＭはＨである）である。本発明はまた、これらの化学種の塩誘導体（すなわちＭはアルカリ金属、好ましくはナトリウム、またはカリウムあるいはアンモニウムである）にわたることが意図される。
【００３８】
本明細書中で述べるレオロジー安定剤の混合物もまた、本発明中で使用され得る。
【００３９】
レオロジー改変ポリマーは、特に架橋型およびまたは高分子量のそれらは、漂白剤開始分解（ｂｌｅａｃｈ  ｉｎｉｔｉａｔｅｄ  ｄｅｇｒａｄａｔｉｏｎ）に対して攻撃されやすく、そしていくつかの適用に対して受容不可能で有り得るレオロジーの損失を生じ得る。漂白剤成分の特定の小さい割合は、溶液中で、フリーラジカル、つまり１個以上の不対電子を有する分子フラグメントの形態で存在する。水性組成物中では、漂白剤の別の組成物成分との反応から開始され得る、または以下の自己生産による、多くのフリーラジカル反応が存在する：
【００４０】
【化４】
0003912983.tif 000005
重金属カチオンの存在もまた、フリーラジカルの発生を促進するということもまた実証される。このようなフリーラジカルは、自己増殖し、そして、停止生成物が生成されるまで連鎖反応となる。この停止生成物にたどり着く前に、これらのフリーラジカルは、溶液中の他の有機化学種（例えばポリマー性レオロジー改変剤）と反応し得る。これらのラジカルは、特に、共役二重結合を有する化合物と反応性である。本発明の特定のポリマーは、架橋構造中に存在する仮定酸化可能部分のために、この分解を受けやすい。
【００４１】
理論によって拘束されることは望まないが、レオロジー安定剤が、フリーラジカル捕獲剤（組成物中で形成される高反応性化学種を捕まえ、そしてポリマー性レオロジー改変剤の分解を受けやすい構造への攻撃を予防または減少する）として機能すると考えられる。これらレオロジー安定剤の構造は、芳香族環に隣接するヘテロ原子（例えば、酸素、または窒素原子）を含む孤立対を含む、電子供与芳香族環を包含する。重要なことには、レオロジー安定剤は、フリーラジカル捕獲剤として機能するために、漂白剤自体による酸化に抵抗性でなければならない。本発明において、レオロジー安定剤および漂白剤フリーラジカルは、電荷移動錯体を形成するか、または電荷移動錯体を介して新しい化合物を形成し、これによって、フリーラジカルを不活性化しそして組成物中の他の成分、特にポリマー性レオロジー改変剤への攻撃を予防するということが考慮される。酸素または窒素原子に結合する水素原子が、フリーラジカルによって攻撃されそして引き抜かれて、水または別の化合物を生成するということが、可能性のあるメカニズムである。次いで、芳香族環は、酸素または窒素において新たに形成したラジカルを安定化する。他のもっともらしい反応は、これらの化合物の添加による、安定性において観察される改善の原因であり得る。
【００４２】
（緩衝剤および／またはアルカリ度（ａｌｌｃａｌｉｎｉｔｙ）剤）
本組成物において、組成物のｐＨを所望のｐＨ範囲内（これはｐＨメーターによって非希釈組成物のｐＨとして決定する）に達成および／または維持することが可能である、１個以上の緩衝剤またはアルカリ度剤を含むことが望ましい。
【００４３】
次亜ハロゲン酸アルカリ金属漂白剤について、約１０より大きい、好ましくは約１１．５より大きい組成物ｐＨの維持は、活性ハロゲン、次亜ハロゲン−生成漂白剤の、所望しない化学分解を最小化する。この特定のｐＨ範囲の維持はまた、本組成物中に存在する強次亜ハロゲン酸塩漂白剤および任意の界面活性剤化合物間の、化学相互作用を最小化する。任意の緩衝剤によって維持されるような高いｐＨ値は、本発明の組成物の使用の間、汚損および染色除去特性を高めるように作用するのを容易にする。
【００４４】
組成物ｐＨを約２〜約１４の範囲内に達成および／または維持する効果を有する、任意の融和性物質または物質の混合物が、本発明中で使用され得る。このような物質は、例えば、種々の水可溶性の、無機塩（例えば、炭酸塩、炭酸水素塩、セスキ炭酸塩、ケイ酸塩、ピロリン酸塩、リン酸塩、水酸化物、四ホウ酸塩、およびそれらの混合物）を含む。単独または組み合わせのいずれかで、本明細書で緩衝剤として使用され得る物質の例は、炭酸ナトリウム、炭酸水素ナトリウム、炭酸カリウム、セスキ炭酸ナトリウム、ケイ酸ナトリウム、ケイ酸カリウム、ピロリン酸ナトリウム、ピロリン酸四カリウム、リン酸三カリウム、リン酸三ナトリウム、無水四ホウ酸ナトリウム、四ホウ酸ナトリウム五水和物、水酸化カリウム、水酸化アンモニウム、四ホウ酸ナトリウム五水和物、水酸化カリウム、水酸化ナトリウム、および四ホウ酸ナトリウム十水和物が挙げられる。これらの薬剤（これらは、ナトリウム、カリウム、およびアンモニウム塩を包含する）の組み合わせが使用され得る。
【００４５】
有機中和剤もまた、組成物のｐＨを調整するために使用され得る。このような化合物は、モノ、ジ、およびトリエタノールアミン、ジ、およびトリイソプロパノールアミンを包含する。
【００４６】
本発明の組成物はまた、有機および無機酸、またはそれらの混合物から成る群から選択される酸を含み得る。適切な有機酸は、米国特許第４，２３８，１９２号（前述）に開示され、本明細書中で参考として援用される。適切な有機酸は、種々の飽和および不飽和、モノ、ジ、トリ、テトラ、およびペンタカルボン酸を包含し、それは例えば、酢酸、ヒドロキシ酢酸、シュウ酸、ギ酸、アジピン酸、マレイン酸、酒石酸、乳酸、グルコン酸、グルカル酸、グルクロン酸、クエン酸、およびアスコルビン酸である。特定の窒素含有酸もまた、有機酸として、使用のために適切であり、例えば、エチレンジアミン四酢酸またはジエチレントリアミン五酢酸である。無機酸の例は、塩酸、リン酸、硝酸、硫酸、ホウ酸およびフルファミン酸、ならびにそれらの混合物が挙げられる。
【００４７】
（水）
これらの組成物における主成分は水であり、好ましくは最小のイオン強度を有する水であることに留意すべきである。このことは、漂白剤の分解をさらに触媒する重金属の存在を減少する。さらに、ポリマー性レオロジー改変剤には、過剰イオン、特に二価イオンの存在下では、有効性がより少ないものがある。水は、その中へ、他の成分が添加されて、溶解され、分散され、乳化され、そして／または懸濁される、連続液体相を提供する。軟水が好ましく、脱イオン水が最も好ましい。
【００４８】
（任意の物質）
（界面活性剤）
界面活性剤は、一般的に、表面張力を減少し、ぬれを増大し、そして洗浄効果を高めるために使用される任意の物質である。本発明の組成物は、アニオン性、非イオン性、両性、双性イオン性界面活性剤、またはそれらの混合物を含有し得る。潜在的に適切な界面活性剤は、Ｋｉｒｋ−Ｏｔｈｍｅｒ  Ｅｎｃｙｃｏｌｏｐｅｄｉａ  ｏｆ  Ｃｈｅｍｉｃａｌ  Ｔｅｃｈｎｏｌｏｇｙ、第３版、２２巻、３６０〜３７７頁（１９８３）に開示され、この開示は、本明細書中で参考として援用される。
【００４９】
これらの例は、米国特許第５，１６９，５５２号に述べられる。加えて、洗剤組成物に適切な他の界面活性剤は、米国特許第３，５４４，４７３号、同第３，６３０，９２３号、同第３，８８８，７８１号、同第３，９８５，６６８号および同第４，００１，１３２号の開示の中で見られ得、そしてそれらの全ては、本明細書中で、参考として援用される。
【００５０】
前述の界面活性剤のいくつかは、漂白剤安定性であるが、いくつかはそうでない。本組成物が次亜塩素酸漂白剤を含有する場合、洗剤界面活性剤が漂白剤安定性であることが望ましい。このような界面活性剤は、望ましくは、不飽和、およびいくつかの芳香族、アミド、アルデヒド、メチルケト、またはヒドロキシル基（これらは次亜塩素酸塩による酸化を受けやすい）のような官能基（ｆｕｎｃｔｉｏｎ）を含まない。
【００５１】
アニオン性界面活性剤の例には、アルキルエーテルホスフェート、アルキルアリールスルホネート、アルキルエーテルスルフェート、アルキルスルフェート、アリールスルホネート、カルボン酸化アルコールエトキシレート、イセチオネート、オレフィンスルホネート、サルコシネート、タウレート、タウリネート、スクシネート、スクシナメート、脂肪酸石鹸、アルキルジフェニルジスルホネートなど、およびそれらの混合物が挙げられる。
【００５２】
潜在的な非イオン性界面活性剤の例には、アルカノールアミド、ブロックポリマー、エトキシ化アルコール、エトキシ化アルキルフェノール、エトキシ化アミン、エトキシ化アミド、エトキシ化脂肪酸、脂肪エステル、フッ化炭素ベースの界面活性剤、グリセロールエステル、ラノリンベースの誘導体、ソルビタン誘導体、スクロースエステル、ポリグリコールエステル、およびシリコーンベースの界面活性剤が挙げられる。
【００５３】
潜在的な両性界面活性剤の例には、エトキシ化アミン、酸化アミン、アミン塩、ベタイン誘導体、イミダゾリン、フッ化炭素ベースの界面活性剤、ポリシロキサン、およびレシチン誘導体が挙げられる。
【００５４】
本発明の組成物中で利用される界面活性剤の特定の性質は、本発明に重要でない。
【００５５】
（ビルダー、金属イオン封鎖剤、キレート剤）
洗浄性ビルダーは、水溶液中の遊離カルシウムおよび／またはマグネシウムイオン濃度を減少させる、任意の物質である。洗浄性ビルダー物質は、当該分野で公知の任意の洗浄性ビルダー物質であり得、これには、リン酸三ナトリウム、ピロリン酸四ナトリウム、トリポリリン酸ナトリウム、ヘキサメタリン酸ナトリウム、ピロリン酸カリウム、トリポリリン酸カリウム、ヘキサメタリン酸カリウムが挙げられる。
【００５６】
他のビルダーには、約１：１〜約３．６：１の重量比のＳｉＯ2：Ｎａ2ＯまたはＳｉＯ2：Ｋ2Ｏを有する、ケイ酸ナトリウムおよびカリウム、メタケイ酸アルカリ金属、炭酸アルカリ金属、水酸化アルカリ金属、グルコン酸アルカリ金属、ホスホネート、ニトリロ酢酸アルカリ金属、アルミノケイ酸塩（ゼオライト）、ホウ砂、ニトリロ酒石酸カリウム、カルボキシメチルオキシスクシン酸ナトリウム、カルボキシメチルオキシマロン酸ナトリウム、ポリホスホネート、低分子量カルボン酸の塩、ならびにポリカルボキシレート（例えばポリアクリレートまたはポリマレート）、コポリマーおよびそれらの混合物が挙げられる。
【００５７】
本明細書での使用のための適切なキレート剤（ｃｈｅｌａｎｔ）の代表的な例には、カルボキシレート（例えばエチレンジアミン四酢酸（ＥＤＴＡ）およびジエチレントリアミン五酢酸（ＤＴＰＡ））；ポリホスフェート、ピロホスフェート、ホスフェート、クエン酸、ジピコリン酸、ピコリン酸、ヒドロキシキノリン；ならびにそれらの組み合わせが挙げられるが、制限されない。さらに、キレート剤は、米国特許第３，４４２，９３７号、同第３，１９２，２５５号、同第２，８３８，４５９号、および同第４，２０７，４０５号（前述）に記載の任意のものであり得、これらは本明細書中で参考として援用される。
【００５８】
上記の緩衝剤物質のいくつかは、さらにビルダー、金属イオン封鎖剤、またはキレート剤として役立つ。
【００５９】
（他の任意の物質）
他の任意の物質には、漂白剤活性化剤、溶媒、消泡剤（ｓｕｄｓ  ｓｕｐｐｒｅｓｓｅｒ）、腐食阻害剤、蛍光増白剤、キレート剤、抗再付着剤、分散剤、染料捕捉剤、酵素、皮膚軟化剤、湿潤剤、防腐剤、フィルム成形剤、および防染ポリマーが挙げられる。液体媒体に不溶な化合物を可溶化し得る、非ミセル形成物質として一般的に記載される、ヒドロトロープもまた使用され得る。分散剤として、ヒドロトロープは、任意の存在するアニオン性界面活性剤によるミセル形成を防ぐように、作用する。潜在的なヒドロトロープの例には、アルキル鎖中に６〜１０炭素を有するアルキルサルフェートおよびスルホネート、Ｃ8−Ｃ14ジカルボン酸、ならびに、非置換および置換の、特にアルカリ金属塩のアリールスルホネート；そして非置換および置換アリールカルボキシレートが挙げられる。他の任意の、および望ましい成分には、米国特許第３，９８５，６６８号に開示されるクレーおよび研磨剤が挙げられるが、これらに限定されず、またこれらは本明細書中で参考として援用される。このような研磨剤の例には、炭酸カルシウム、真珠岩、ケイ砂、石英、軽石、長石、トリポリ石（ｔｒｉｐｌｏｉ）、およびリン酸カルシウムが挙げられる。さらに、任意の物質には、両性金属アニオンのアルカリ金属塩、ならびに染料、顔料、芳香剤、香料、香味料、甘味料などが挙げられ、これらは美的利点を提供するために添加される。
【００６０】
（典型的実施例）
本発明を例示すために、本発明に従う組成物の例を製造し、そして組成物の特徴、特に組成物の安定性を測定するために試験した。他に記載されない限り、これらの実施例で使用される全ての部およびパーセントは、レオロジー安定剤の用量を含む組成物の合計重量に基づいた重量による。実施例において、示された粘度は、２０ｒｐｍでの適切な回転軸でのＢｒｏｏｋｆｉｅｌｄ  Ｖｉｓｃｏｍｅｔｅｒ  Ｍｏｄｅｌ  ＲＶＴ−ＤＶ−ＩＩ＋で、２０℃で行い、そしてセンチポイズ（ｃｐ）で示した。
【００６１】
（実施例＃１）
以下の実施例は、レオロジー安定剤の混合により、５．００％活性次亜塩素酸ナトリウム組成物の改善されたレオロジー安定性を示す。粘度安定性を、任意の安定剤を有さない組成物および安息香酸に対して比較する。組成物をまず、ポリアクリル酸ポリマーを水中に分散させることにより調製した。これに続いてレオロジー安定剤を添加した。次いで、この組成物を目標のｐＨまで中和し、続いて塩素漂白剤を添加した。次いで初期の粘度を記録した。次いで、これらの組成物を５０℃の貯蔵オーブン中に入れて、定期的に粘性をモニターした。
【００６２】
【表２】
0003912983.tif 000006
（実施例＃２）
以下の実施例は、レオロジー安定剤の混合により、５．００％活性次亜塩素酸ナトリウム組成物の改善されたレオロジー安定性を示す。粘度安定性を、任意の安定剤を有さない組成物と比較する。組成物をまず、ポリアクリル酸ポリマーを水中に分散させることにより調製した。これに続いてレオロジー安定剤を添加した。次いで、この組成物を目標のｐＨまで中和し、続いて塩素漂白剤を添加した。次いで初期の粘度を記録した。次いで、これらの組成物を４０℃および５０℃の貯蔵オーブン中に入れて、定期的に粘度をモニターした。
【００６３】
【表３】
0003912983.tif 000007
（実施例＃３）
以下の実施例は、レオロジー安定剤の混合により、１．００％活性次亜塩素酸ナトリウム組成物の改善されたレオロジー安定性を示す。粘度安定性を、任意の安定剤を有さない組成物と比較する。組成物をまず、ポリアクリル酸ポリマーを水中に分散させることにより調製した。これに続いてレオロジー安定剤を添加した。次いで、この組成物を目標のｐＨまで中和し、続いて塩素漂白剤を添加した。次いで初期の粘度を記録した。次いで、これらの組成物を５０℃の貯蔵オーブン中に入れて、定期的に粘度をモニターした。
【００６４】
【表４】
0003912983.tif 000008
（実施例＃４）
以下の実施例は、レオロジー安定剤の混合により、３．００％活性次亜塩素酸ナトリウムを含む自動皿洗い機用ゲルの改善されたレオロジー安定性を示す。粘度安定性を、任意の安定剤を有さない組成物と比較する。組成物をまず、ポリアクリル酸ポリマーを水中に分散させることにより調製した。これに続いてレオロジー安定剤を添加した。次いで、この組成物を水酸化ナトリウムおよび水酸化カリウムで目標のｐＨまで中和した。これに続いてケイ酸塩、炭酸塩、およびトリポリリン酸塩を添加した。次いで塩素漂白剤を添加し、続いて最後にジスルホン酸塩界面活性剤を添加した。次いで初期の粘度を記録した。次いで、これらの組成物を５０℃の貯蔵オーブン中に入れて、定期的に相分離を測定した。
【００６５】
【表５】
0003912983.tif 000009
（実施例＃５）
以下の実施例は、レオロジー安定剤の混合により、１．００％活性次亜塩素酸ナトリウムを含む自動皿洗い機用ゲルの改善されたレオロジー安定性を示す。粘度安定性を、任意の安定剤を有さない組成物と比較する。組成物をまず、ポリアクリル酸ポリマーを水中に分散させることで調製した。次いで、この組成物を水酸化ナトリウムおよび水酸化カリウムで目標のｐＨまで中和した。これに続いてケイ酸塩、炭酸塩、およびトリポリリン酸塩を添加した。次いで、塩素漂白剤を添加し、続いて最後にジスルホン酸塩界面活性剤を添加した。次いで初期の粘度を記録した。次いで、これらの組成物を５０℃の貯蔵オーブン中に入れて、定期的に粘度をモニターした。
【００６６】
【表６】
0003912983.tif 000010
（実施例＃６）
以下の実施例は、５．００％活性過酸化水素を含む組成物の改善されたレオロジー安定性を示す。粘度安定性を任意の安定剤を有さない組成物と比較する。組成物をまず、ポリアクリル酸ポリマーを水中に分散させることにより調製した。これに続いてレオロジー安定剤を添加した。次いで、組成物を水酸化ナトリウムで目標のｐＨまで中和した。これに続いて過酸化水素を添加した。次いで初期の粘度を記録した。次いで、これらの組成物を４０℃の貯蔵オーブン中に入れて、定期的に粘度をモニターした。
【００６７】
【表７】
0003912983.tif 000011
（実施例＃７）
以下の実施例は、５．００％活性過酸化水素を含む組成物の改善されたレオロジー安定性を示す。粘度安定性を、任意のレオロジー安定剤を有さない組成物およびＶｅｒｓｅｎａｔｅ（登録商標）ＰＳ（過酸化水素処方物に推奨されるリン酸塩キレーター）と比較する。組成物をまず、ポリアクリル酸ポリマーを水中に分散させることにより調製した。これに続いてレオロジー安定剤を添加した。次いで、これらの組成物を水酸化ナトリウムで目標のｐＨまで中和した。これに続いて過酸化水素を添加した。次いで初期の粘度を記録した。次いで、これらの組成物を４０℃の貯蔵オーブン中に入れて、定期的に粘度をモニターした。
【００６８】
【表８】
0003912983.tif 000012
（実施例＃８）
以下の実施例は、５．００％活性過酸化水素を含む組成物の改善されたレオロジー安定性を示す。粘度安定性を、任意のレオロジー安定剤を有さない組成物と比較する。組成物をまず、ポリアクリル酸ポリマーを水中に分散させることにより調製した。これに続いてレオロジー安定剤を添加した。次いで、これらの組成物を水酸化ナトリウムで目標のｐＨまで中和した。これに続いて過酸化水素を添加した。次いで初期の粘度を記録した。次いで、これらの組成物を４０℃の貯蔵オーブン中に入れて、定期的に粘度をモニターした。
【００６９】
【表９】
0003912983.tif 000013
（実施例＃９）
以下の実施例は、ｐＨ７およびｐＨ８で３．００％活性過酸化水素を含む組成物の改善されたレオロジー安定性を示す。粘度安定性を、任意のレオロジー安定剤を有さない組成物と比較する。組成物をまず、ポリアクリル酸ポリマーを水中に分散させることにより調製した。これに続いてレオロジー安定剤を添加した。次いで、組成物を水酸化ナトリウムで目標のｐＨまで中和した。これに続いて過酸化水素を添加した。次いで初期の粘度を記録した。次いで、これらの組成物を４０℃の貯蔵オーブン中に入れて、定期的に粘度をモニターした。
【００７０】
【表１０】
0003912983.tif 000014
（実施例＃１０）
以下の実施例は、３．５０％活性過酸化水素を非イオン的界面活性剤と共に含む組成物の改善されたレオロジー安定性を示す。組成物をまず、ポリアクリル酸ポリマーを水中に分散させることにより調製した。これに続いて、レオロジー安定剤を添加した。次いで、これらの組成物を水酸化ナトリウムで目標のｐＨまで中和し、続いて界面活性剤を添加した。これに続いて過酸化水素を添加した。次いで初期の粘度を記録した。次いで組成物を４０℃の貯蔵オーブン中に入れて、定期的に粘度をモニターした。
【００７１】
【表１１】
0003912983.tif 000015
従って、見出され得るように、本発明は、酸化剤のより広いレベルおよびタイプに亘る、より広いｐＨの範囲に渡る、そして合成濃化剤の広い範囲についての改善されたレオロジー安定性を提供する。本発明は、現在の添加剤技術では４週間に対して、５０℃で８週間を超える安定性を実証している。従って、本発明は、他の処方成分との良好な併用性を促進すると同時に、効率への影響を最小化する安定性目的、低い使用レベルのレオロジー安定剤、および非イオン性の安定剤の使用のカスタム設計、ならびに広い範囲の濃化剤タイプに適用可能なアルカリ領域技術における過酸化物を濃化する能力を可能とする。
【００７２】
本発明の前述の実施態様は、例示および説明の目的のために提示されている。これらの説明および実施態様は、徹底的であることも、または開示された正確な形態に本発明を限定することも意図されず、そして明らかに多くの変更および変化が、上記の開示を考慮すると、可能である。これらの実施態様は、本発明の原理およびその実際の適用を最も良く説明するために選択および記載され、これによって当業者が、特定の企図された使用に適合されるような種々の変更を伴って、種々の実施態様において本発明を最も良く利用することが可能である。本発明が以下の特許請求の範囲によって規定されることが意図される。